(57)【要約】      （修正有）【課題】作業者等が上に乗っても耐久強度が強く、地震や強風、大雨、熱膨張等の環境下にも良好に馳係合品質を維持する平板円形屋根または平板扇形屋根を提供する。【解決手段】圧延ロール目方向に対して、少しの角度をもって斜めになる略圧延ロール目方向に切断した要素台形平板Ｐ、Ｑに、圧延ロール目方向の圧縮側内側曲げＲ軸（引張側曲げＲ軸）をもって、圧延ロール目方向に対して、略直角方向にロール成形曲げによって形成する馳せ部を形成し、これを少なくとも含んで平板円形屋根または平板扇形屋根を形成する。そして、切断機、ロール成形機を施工現場近傍に持ち込んで加工する。【選択図】図１
0003224789.tif 000002
【実用新案登録請求の範囲】
【請求項１】
略台形の上底と下底の内のいずれか寸法の大の要素台形平板を少なくとも一つ用いるに際して、
前記略台形の前記要素台形平板の上底と下底の内のいずれか寸法の大の側を、
全体平板円形、全体平板扇形屋根部材の外円弧略外円周曲率とすべく、
前記少なくとも一つの略台形の前記要素台形平板の台形辺において、上底と下底の方向と略垂直方向軸のいずれかを曲げ軸系とする水返し防水部を有する馳係合部曲げ構造を形成し、
前記要素台形平板の前記台形辺において連結馳係合させ、
前記要素台形平板の上底と下底の方向と略垂直方向軸のいずれか一辺近傍を曲げ軸系とし、
前記要素台形平板の上底と下底のいずれか寸法の小の側を少なくとも一つ用いて、
内円弧内円周曲率略内円周と成す、全体が前記平板円形、前記平板扇形となる屋根であって、
前記要素台形平板の、前記少なくとも上底と下底寸法のいずれか一つの一倍を含む整数倍に対して、
前記少なくとも上底または下底寸法のいずれか一つの一倍を含む整数倍の合計値がロール材の略幅寸法であるとともに、
前記要素台形平板の高さ方向を板金ロール材の前記ロール材の略幅寸法と直角方向の圧延ロール目方向とし、
圧延ロール材料の前記ロール目方向、すなわち、前記要素台形平板の上底と下底の間の垂直高さ方向に、前記要素台形平板を移動させながら、
前記要素台形平板の少なくとも一方の辺を、前記上底と下底の間の垂直高さ方向、すなわち、前記板金ロール材の圧延ロール目方向に対して、少しの角度をもって斜めになるように、前記板金ロール材を略直線状に切断して形成し、
前記切断した要素台形平板の前記各台形辺に平行になる圧縮側内側曲げＲ軸（引張側曲げＲ軸）をもって、前記圧延ロール目方向に対して、略直角方向に曲げることによって、前記要素台形平板の前記馳曲げ部を形成する前記要素台形平板から成ることを特徴とする平板円形屋根または平板扇形屋根。
【請求項２】
前記少なくとも一つの前記要素台形平板の少なくとも一つの前記台形辺部に設けた前記馳曲げ部と、少なくとも一つの要素四角形平板の辺部に設けた馳曲げ部を相互に馳せ係合させることを特徴とする請求項１に記載の平板円形屋根または平板扇形屋根。
【請求項３】
前記要素台形平板と前記要素四角形平板の辺に設けた曲げＲ部を相互に馳せ係合する馳せ部が基本的に断面直線部を有する基本的角馳係合であることを特徴とする請求項１〜請求項２のいずれかに記載の平板円形屋根または平板扇形屋根。
【請求項４】
前記要素台形平板の台形辺の周辺、または、前記要素四角形平板の辺の周辺の、
前記断面直線部を有する基本的角馳係合曲げＲ部、または、前記防水水切り曲げＲ部をロール成形することを特徴とする請求項１〜請求項３に記載の平板円形屋根または平板扇形屋根。
【請求項５】
前記要素台形平板の前記各台形辺のいずれか一方、または、前記要素四角形平板の辺のいずれか一方を、
前記曲げＲ部ロール成形したあとで、トンボして（天地反対にして）前記要素台形平板、前記要素四角形平板の辺のいずれか一方に対する他方の辺周辺曲げＲ部を前記ロール成形する前記要素四角形平板、前記要素四角形平板から成ることを特徴とする請求項４に記載の平板円形屋根または平板扇形屋根。
【請求項６】
前記要素台形平板に、
鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅板、亜鉛板、のいずれか１つの材料を配することを特徴とした請求項１〜請求項６のいずれかに記載の平板円形屋根または平板扇形屋根。
【請求項７】
前記要素台形平板の屋根側、または、屋根と反対側のいずれか一方に断熱材を積層することを特徴とする請求項１〜６のいずれかに記載の平板円形屋根または平板扇形屋根。
【考案の詳細な説明】
【技術分野】
【０００１】    本考案は、薄板を用いた屋根葺施工の改良に関し、少なくとも一部に平板円形、平板扇形を有する全体平板円形薄板屋根に関する。
【背景技術】
【０００２】    伝統的な和瓦葺施工の屋根は、重厚感と高級感を備えた外見を有し、多くの家屋、建て屋に使用されているが、近年国内で発生した大きな地震では、重量の大きな和瓦が耐震構造の充分でない住宅、建て屋を倒壊、半倒壊させて被害を招いている。将来発生が予想される地震でもこのような被害が懸念される。スレート屋根等の有効性も確認されているが、スレート屋根も重量があり、大きな地震での住宅、建て屋に与える負担は大きい。スレート屋根系の耐久性は、金属薄板製の屋根系に比較して、１０年前後は耐久性が短くより多くのメンテナンスが必要と屋根施工業界で言われることも多い。ここに、近年、美観が良好な金属板を含む薄板製の屋根部材が、学校、体育館、工場等の屋根として普及してきた。これら薄板屋根部材は、高い防水性と耐風圧性を工夫できるため普及してきた。金属板を含む薄板製の屋根部材は、工夫しだいで迅速に締結係合組み立てでき、メンテナンスを含むランニングコストも安い。この薄板製の根部材の技術は、係合のための例えばボルトナットのような転結具が、外表面に現れないようにすることができるため、いわゆる建造物の屋根の他、大型建造物から中小建造物の側壁、伝統的建造物の側壁、柱の側壁等の各種側壁に至る領域に応用できる。映える美観の側壁、シャープな美観の側壁に応用できる。伝統的建造物の他、近代的現代的建造物に応用できる。ここに近年、学校、体育館、工場、公共施設、ショッピングセンター等で、そのデザイン性、機能性から、屋根全体の形状に、一部に平板円形、平板扇形を有する薄板屋根が採用されることがある。ここに、従来のスレート系屋根としては、粘板岩あるいは層状をなした頁（けつ）岩の薄板からなる天然スレートや人工的なスレートとして厚型スレート（プレス成型したモルタル製の瓦）、石綿セメント板など、セメント製品が多く利用されてきた。そして、従来のスレート系屋根は、耐用年数は、概ね２０年と言われており、塗装メンテナンスが必要であった。これに対して、例えば、金属薄板を利用した屋根は、耐用年数は、特段の塗装を施さなくても、耐用年数は、概ね３０年はあると言われるようになってきた。ここに大型建造物における平板円形屋根、平板扇形屋根技術にかかる需要が近年高まっている。【０００３】    特許文献１に、中央部に位置する仮設中央支持部４１と、周縁部に位置する仮設周縁支持部４９とからなる仮設支持構造体４を構築し、屋根骨組２１を予め複数の屋根骨組ブロック２２に形成し、１つの屋根骨組ブロック２２を、仮設支持構造体４の仮置き位置Ｐに載せ、この屋根骨組ブロック２２に加える横方向強制力Ｆにより、屋根平面の中心を回動軸Ｃとして水平移動させた後、他の屋根骨組ブロック２２を順次仮置き位置Ｐに載せるとともに、水平移動させ、複数の屋根骨組ブロック２２同士を接合して屋根骨組２１の全体を組立て、タンク本体部の内側に全面足場を設置することなく、敷地の広狭、屋根骨組の規模の大小に拘らず幅広く適用することができる、タンク本体部の上に金属製の屋根骨組を架設することのできる、タンク屋根骨組施工法が開示されている。【０００４】  さらに、特許文献２では、野球場（構造物）２２の少なくとも上部に対して、第一および��二の屋根エレメント２４，２４および２５，２５を設け、これら第一および第二の屋根エレメント２４，２４および２５，２５のそれぞれを、野球場２２の互いに異なる位置に設けた第一および第二の回転軸３０，３０および３１，３１によって支持させ、開閉機構・構造等を単純化することができるとともに、設置に係るコストも嵩むものとならないような開閉式にして、屋根が開閉機構・構造等を単純化することができるとともに、設置に係るコストも嵩むものとならない屋根が開示されている。【０００５】    特許文献３には、また、建物の屋根架構を円弧形状の外周縁と内周縁が同心円を形成する扇形状に区分した外周部分と、前記外周部分から除外された中心側部分とに仕分け、建物の基礎及び外周躯体部分の構築を進めると共にトラベリング設備の用意をし、前記中心側部分は作業ステージの上で仕上げまで完成し屋根の位置に設置する。前記外周部分は、外周躯体部分の構築が完成した段階で、その平面内に屋根鉄骨建方ヤードを設け、隣接する部位に屋根、天井仕上げヤードを設け、屋根鉄骨建方ヤードで鉄骨組み立てを行い、つづく屋根、天井仕上げヤードで屋根、天井の仕上げを行い、建造された長さ分ずつトラベリングを行い当該外周部分の屋根の構築を進め、建物の外周部分は屋根鉄骨建方ヤード等で屋根と略同じ高さに建造しトラベリングして建築を進める建築構法が開示されている。【０００６】  特許文献４には、屋根版１をタイロッド６によって設計形状に保形して地上面で地組み構築した後、クレーン８、９等の揚重機を用いて基礎Ｇ上の中心部の第１仮設支柱４および円形外周躯体上の外周支持部３上に跨設構築し、次いで、前記第１仮設支柱４に関して点対称位置にある第１仮設支柱４および外周支持部３上に同様の屋根版１を跨設構築し、次いで、外周支持部３、３間のひとつの間隙を隔てて順次前記同様屋根版の跨設構築を繰り返して円形屋根を構築することを特徴とするもので、数組の屋根版１が構築されて安定構造になった時点で、タイロッド６（および第２仮設支柱５）を取り外して、未構築の屋根版等に使い回しし、簡素な作業設備の採用により、仮設設備の大幅な節減と作業コストの低減ならびに工期の短縮も可能にした屋根構造物の構築方法が開示されている。【０００７】    特許文献５には、円筒タンクの底板２の中央部２ａにセンター架台４を立設し、該センター架台４の頂部にリング体５を回転自在に嵌装し、該リング体５に円形屋根３の内面に沿って径方向外方に延出された階段状の作業台本体６を連結した円形屋根の組立用作業台において、上記作業台本体６を径方向に分割し、各分割作業台６ａ，６ｂの端部に下方に延びる脚部材７ａ，７ｂ，７ｃを設け、これら脚部材７ａ，７ｂ，７ｃの下端部にセンター架台４を中心として底板２上を周回する台車８ａ，８ｂ，８ｃを設け、且つこれら台車８ａ，８ｂ，８ｃ同志の間に一端がタンク底板２に他端が円形屋根３内面に当接する支柱１０を設け、屋根部材の撓みを防止しつつ迅速かつ正確に円形屋根を組み立てることができる大径タンクに用いるのに好適な円形屋根の組立用作業台が開示されている。【０００８】  特許文献６には、シート状のばね性金属材料にプレス加工を施して立体的構造を有する部品��製造するための方法であって、シート状の金属材料から、本体部と曲げ部とを有する中間部品を穴抜きする抜き工程と、中間部品の曲げ部をヘミング加工するヘミング工程とを有しており、これらの工程を実施するに当たり、シート状のばね性金属材料の圧延段階で形成されたロール目方向と交差する方向に曲部の曲げ線が位置するように設定し、ばね性金属材料にクラックや割れを生じさせることなくプレス加工を行って目的の部品を製造する方法が開示されている。【０００９】  特許文献７には、管状の光源体と、これの一部を囲繞するように断面形状を略Ｕ字状に形成した反射板とを有し、光源体の照射光を反射板にて原稿に照射しながら相対移動して上記原稿像を感光体上に形成するようにし、かつ上記反射板がアルミニウムの圧延部材からなり、そのロール目の方向を反射板の長手方向と直角の方向になるようにした画像形成装置における露光走査装置の照明装置において、反射板１２の湾曲部に、この湾曲部の曲げ方向に作用する残留応力を分断する溝１２を設け、ロール目（以下、圧延のロール目をロール目と言う。）を湾曲方向につけた反射板の湾曲部の形状を均一に保つ技術が開示されている。【００１０】  特許文献８には、組立式通い箱Ａの底板部１の四側辺に側板部２，３を設け、一対向の側板部２，２にはそれぞれ裏板部を連接形成し、また、他に対向する側板部４，４に連接する上側面には、前記裏板部３，３を被覆できるよう折返し締結部５を備え、折返し締結部５と側板部４には嵌め外し可能な締結部材６，７を設けて結合・解離自在な組立式通い箱に構成し、何等工具を必要とせずに組立・分解ができ、また、箱形成に必要とする部品を段ボール板に取り付けたまま平面状態にできる通い箱が開示されている。
【先行技術文献】
【特許文献】
【００１１】
【特許文献１】特開２００３−２１３９５８号公報
【特許文献２】特開平１１−１１７４４５号公報
【特許文献３】特開平１０−２０５１３６号公報
【特許文献４】特開平１１−２５６６９０号公報
【特許文献５】特開平６−２４０８５７号公報
【特許文献６】特開２００５−６６６３５号公報
【特許文献７】特開平６−１１８５１８号公報
【特許文献８】登録実用新案公報第３０５１７８５号公報
【考案の概要】
【考案が解決しようとする課題】
【００１２】        特許文献１、特許文献２、特許文献３、特許文献４、特許文献５、特許文献６、特許文献７、特許文献８を含む従来の円形、扇形屋根においては、係合性、組み立て性が良好で、施工しやすく、同時に、防水性、水返し機能を満足させ、美観を維持しつつ、薄板屋根部材の加工誤差、組み立て誤差を、冗長性良好に吸収するとともに、少ない部品点数で、安定した耐久品質を効果的に維持しにくい課題があった。同時に、特許文献１、特許文献２、特許文献３、特許文献４、特許文献５、特許文献６、特許文献７、特許文献８を含む金属薄板屋根部材にかかる従来の円形、扇形屋根技術においては、金属の比熱の低さ、伝熱性に起因して、外気温の上下変動に対して熱膨張が発生した際、多くの薄板屋根部材で集積した熱膨張寸法差を、直接係合する薄板屋根部材との組み立て係合構造で、耐久性とともに、冗長性良好に安定的に吸収しにくい課題があった。【００１３】  ここに、特許文献１では、屋根骨組ブロック２２同士を接合するに際し、少なくとも一部に平板円形、平板扇形を有する薄板屋根の構成、構造、屋根板の組み立て、加工方法、製造方法については、開示されていない問題があった。屋根板そのものの構造、製造方法については開示されていない問題があった。組立、製造方法、施工方法についても、本考案の手段は開示されていない問題があった。【００１４】    特許文献２には、少なくとも一部に平板円形、平板扇形を有する薄板屋根の加工方法、製造方法については、何も開示されていない問題があった。特許文献２を含む従来技術には、本考案構成、手段にかかる屋根板そのものの構造、製造方法については開示されていない問題があった。組み立て方法、施工方法についても、本考案の屋根板の組み立て方法、施工方法は開示されていない問題があった。本考案の屋根の構成、構造についても何も開示されていない問題があった。【００１５】  特許文献３を含む従来の技術には、少なくとも一部に平板円形、平板扇形を有する薄板屋根の加工方法、製造方法、施工方法については、開示されていない問題があった。屋根板そのものの構造、製造方法については開示されていない問題があった。施工方法についても、本考案の屋根板の組み立て方法、施工方法は開示されていない問題があった。本考案の屋根の構成、構造についても開示されていない問題があった。【００１６】  ここに、特許文献４には、第１屋根板そのものの構成、構造、製造方法については開示されていない問題があった。少なくとも一部に平板円形、平板扇形を有する薄板屋根の加工方法、製造方法については、何も開示されていない問題があった。施工方法についても、本考案の屋根板の組み立て方法、施工方法は開示されていない問題があった。本考案の屋根の構成、構造についても何も開示されていない問題があった。【００１７】  特許文献５には、少なくとも一部に平板円形、平板扇形を有する薄板屋根の加工方法、製造方法、施工方法については、何も開示されていない問題があった。屋根板そのものの構造、製造方法については開示されていない問題があった。施工方法についても、本考案の屋根板の組み立て方法、施工方法は開示されていない問題があった。本考案の屋根の構成、構造につ���ても何も開示されていない問題があった。【００１８】  特許文献６は、ばね性金属材料にクラックや割れを生じさせることなくプレス加工を行う技術、機能であり、薄板板金屋根の施工後の熱膨張、熱収縮、対候・耐久防水機能を得るものではない問題があった。リン青銅のようなばね性の強い金属材料、洋白、洋銀などと呼ばれる亜鉛・ニッケル等から成る合金にかかる技術であった。半導体装置のパッケージないしは、携帯電話のケーシングのような比較的小物の分野に利用する技術であった問題があった。したがって、ヒートショック落差も大きく、温湿度差も大きい環境、酸性雨を含む水浸漬環境、大面積で、熱膨張、熱収縮の積分の極端に大きい板金屋根領域では使えない問題、課題が顕著であった。ここに、特許文献６の技術領域は、プレス技術領域であり、長尺大面積のロール成形技術領域ではない問題があった。ここに本開示技術発明者、出願人は当業者ではない問題もある。異なる技術分野の当業者を比較することはそもそも困難であるが、技術分野によって当業者の水準が異なる問題もある。【００１９】  また、特許文献６においては、図１１の中間部品１１に示されるように、中間部品１１のロール目１７と直角方向の中間部品１１の幅は略一定で、本考案のように幅に差を設ける構成作用効果はないという問題もあった。また、本考案のようにロール目方向を特に長手方向とする構成でもない問題もあった。このように、従来技術の円形屋根においては、全体が円形平板、扇形平板な円形屋根に関して、固接させないことによる、特に一定の大きな面積を持って屋根板同志をしっかりと当接させないことによる、すなわち、固接させないことによる平板屋根板の傾斜バラエティ対応性、組み立て施工しやすさ、耐久、耐候耐熱品質の安定性にかかる後述する構成、作用、効果が開示されていない問題があった。【００２０】  特許文献７は、板板金屋根の施工後の熱膨張、熱収縮、対候・耐久防水機能を得るものではない問題があった。画像形成装置における露光照明用の照明装置のような比較的小物の分野に利用する技術である問題があった。したがって、ヒートショック落差も大きく、温湿度差も大きい環境、酸性雨を含む水浸漬環境、大面積で、熱膨張、熱収縮の積分の極端に大きい板金屋根領域では使えない問題、課題が顕著であった。ここに、本件技術領域は、プレス技術領域であり、長尺大面積のロール成形技術領域ではない。ここに本開示技術発明者、出願人は当業者ではない問題もある。異なる技術分野の当業者を比較することはそもそも困難であるが、技術分野によって当業者の水準が異なる問題もあった。このように、従来技術においては、全体が円形平板、扇形平板でありながら、少ない部品点数で部品材料費、組み立て工数が少なく、屋根板の傾斜バラエティ対応性、組み立て施工しやすさ、耐久、耐候品質の安定性にかかる作用、効果が開示されていない課題があった。【００２１】  特許文献７は、曲げ加工はロール目に直角方向に行なう本考案にて対して、ロール目方向に曲げ加工する点が相違する問題点があった。内部の結晶組織もこのロール目方向に流れているためロール目に直角方向に行なうことによる本考案の割れにくくなる作用効果が得られない問題があった��内部の結晶組織もこのロール目方向に流れているため本考案の略ロール目方向の切断を長くすることによるソリや歪が発生しにくい作用、効果が得られない問題があった。【００２２】  特許文献８には、少なくとも一部に要素台形平板、要素四角形平板を有する平板円形、平板扇形薄板屋根の加工方法、製造方法、施工方法については、何も開示されていない問題があった。屋根板そのものの構造、製造方法については開示されていない問題があった。施工方法についても、本考案の屋根板の組み立て方法、施工方法は開示されていない問題があった。本考案の屋根の構成、構造についても何も開示されていない問題があった。【００２３】  特許文献８には、ロール目の技術意図はあるが、少なくとも一部に要素台形平板、要素四角形平板を有する平板円形、平板扇形薄板屋根とその機能、組立、製造方法、施工方法にかかるロール目の技術については、何も開示されていない問題があった。【００２４】  従来の平板円形、平板扇形を有する薄板屋根においては、水切り防水機能を有する角馳構造や、平板円形、平板扇形を有する薄板屋根において角馳構造における係合の他に、平板円形、平板扇形屋根要素の先端に水切り防水の曲げ部を設けたりする構造が開示されていなかった。結果、板板金屋根の施工後の熱膨張、熱収縮、対候・耐久防水機能を同時に得るシンプルな屋根板の係合構造が開示されていなかった。これは、円形、扇形屋根が、タンクやドームといった用途に使われ、平板的円形、扇形屋根の建物自体が少なかったため、円形、扇形平板屋根としての技術開発が進展していなかったためと推定される。【００２５】  そこで、本考案は、係合性、組み立て性が良好で、施工しやすく、同時に、防水性、水返し機能を満足させ、美観を維持しつつ、要素台形平板、要素四角形平板の加工誤差、組み立て誤差を、冗長性良好に吸収するとともに、少ない部品点数で、安定した耐久品質を効果的に維持する平板円形屋根、平板扇形屋根とその組立、製造方法、施工方法を提供することを課題とする。寒暖、ヒートショックによる熱膨張、収縮があっても安定した耐久品質を効果的に維持する平板円形屋根、平板扇形屋根とその組立、製造方法、施工方法を提供することを課題とする。また、本考案は、薄板屋根部材が、急傾斜でも、緩傾斜でも、フラットであったとしても、要素台形平板、要素四角形平板の加工誤差、組み立て誤差を、冗長性良好に吸収するとともに、少ない部品点数で、安定した耐久品質を効果的に維持する平板円形屋根、平板扇形屋根とその組立、製造方法、施工方法を提供することを課題とする。【００２６】  そして、本考案は、所定の面積をもって、要素台形平板、要素四角形平板をしっかりと当接させすぎないことによる、しっかり固接させないことが可能ならしめる角馳に適切であると同時に、屋根板の傾斜バラエティ対応性、組み立て施工しやすさ、耐久、耐候品質の安定性を良好に維持する平板円形屋根、平板扇形屋根とその組立、製造方法、施工方法を提供することを課題とする。また、本考案は、屋根の薄板金属内部の結晶組織が、ロール目方向に流れているため、角馳加工時の曲げ加工を、ロール目に一部少しの傾斜角を持たせる場合はあるが、ロール目方向に概略直角方���に行なうことにより、割れにくく、切断品質も安定的に良好で、要素台形平板、要素四角形平板の各種環境下における反りや歪が安定的に発生しにくく、馳係合組み立て形成後、平板円形屋根、平板扇形屋根の部分的反り、歪が安定的に少ない平板円形屋根全体、平板扇形屋根全体を提供することを課題とする。角馳の曲げ加工を、ロール目に一部少しの傾斜角を持たせる場合はあるが、概略直角方向に行なうことにより、要素台形平板、要素四角形平板に寸法精度、経時変化精度、弾性、強度、加工容易性を付与し、組立性、施工性、耐久強度、耐候強度の良好な平板円形屋根、平板扇形屋根を提供することを課題とする。【００２７】  また、同時に、本考案は、施工時やメンテナンス時に、作業員が上に乗ったり、施工装置や、材料・工具等を屋根に仮置きした際の強度を維持する平板円形屋根、平板扇形屋根とその組立、製造方法、施工方法を提供することを課題とする。そして、施工時やメンテナンス時に、作業員が上に乗ったり、施工装置や、材料・工具等を屋根に仮置きした際、撓んだり、撓んだ履歴が残ることによる防水機能等の低下を防止する平板円形屋根、平板扇形屋根とその組立、製造方法、施工方法を提供することを課題とする。また、施工時やメンテナンス時に、作業員が上に乗ったり、施工装置や、材料・工具等を仮置きした際、重力によって撓むことにより、力が印加した状態で、接触擦り合うことによって、薄板屋根部材の表面塗装をした時、クラッド材料等を配置した時、部分的に剥がれて腐食の要因になるのを回避する平板円形屋根、平板扇形屋根とその組立、製造方法、施工方法を提供することを課題とする。さらに、重力によって撓むことにより、力が印加した状態で、接触し擦り合うことが原因となっての腐食開始を抑制する平板円形屋根、平板扇形屋根とその組立、製造方法、施工方法を提供することを課題とする。
【課題を解決するための手段】
【００２８】  前記課題を解決するため、本考案は、略台形の上底と下底の内のいずれか寸法の大の要素台形平板を少なくとも一つ用いるに際して、前記略台形の前記要素台形平板の上底と下底の内のいずれか寸法の大の側を、全体平板円形、全体平板扇形屋根部材の外円弧略外円周曲率とすべく、前記少なくとも一つの略台形の前記要素台形平板の台形辺において、上底と下底の方向と略垂直方向軸のいずれかを曲げ軸系とする水返し防水部を有する馳係合部曲げ構造を形成し、前記要素台形平板の前記台形辺において連結馳係合させ、前記要素台形平板の上底と下底の方向と略垂直方向軸のいずれか一辺近傍を曲げ軸系とし、前記要素台形平板の上底と下底のいずれか寸法の小の側を少なくとも一つ用いて、内円弧内円周曲率略内円周と成す、全体が前記平板円形、前記平板扇形となる屋根であって、前記要素台形平板の、前記少なくとも上底と下底寸法のいずれか一つの一倍を含む整数倍に対して、前記少なくとも上底または下底寸法のいずれか一つの一倍を含む整数倍の合計値がロール材の略幅寸法であるとともに、前記要素台形平板の高さ方向を板金ロール材の前記ロール材の略幅寸法と直角方向の圧延ロール目方向とし、圧延ロール材料の前記ロール目方向、すなわち、前記要素台形平板の上底と下底の間の垂直高さ方向に、前記要素台形平板を移動させながら、前記要素台形平板の少なくとも一方の辺を、前記上底と下底の間の垂直高さ方向、すなわち、前記板金ロール材の圧延ロール目方向に対して、少しの角度をもって斜めになるように、前記板金ロール材を略直線状に切断して形成し、前記切断した要素台形平板の前記各台形辺に平行になる圧縮側内側曲げＲ軸（引張側曲げＲ軸）をもって、前記圧延ロール目方向に対して、略直角方向に曲げることによって、前記要素台形平板の前記馳曲げ部を形成する前記要素台形平板となすことによって成る。【００２９】  また、前記課題を解決するため、本考案は、前記少なくとも一つの前記要素台形平板の少なくとも一つの前記台形辺部に設けた前記馳曲げ部と、少なくとも一つの要素四角形平板の辺部に設けた馳曲げ部を相互に馳せ係合させることによって成る。【００３０】  さらに、前記課題を解決するため、本考案は、前記要素台形平板の前記各台形辺のいずれか一方、または、前記要素四角形平板の辺のいずれか一方を、前記曲げＲ部ロール成形したあとで、トンボして（天地反対にして）前記要素台形平板、前記要素四角形平板の辺のいずれか一方に対する他方の辺周辺曲げＲ部を前記ロール成形する前記要素四角形平板、前記要素四角形平板から成ることによって成る。【００３１】  そして、前記課題を解決するため、本考案は、前記要素台形平板の台形辺の周辺、または、前記要素四角形平板の辺の周辺の、前記断面直線部を有する基本的角馳係合曲げＲ部、または、前記防水水切り曲げＲ部をロール成形することによって成る。【００３２】  また、前記課題を解決するため、本考案は、前記要素台形平板の前記各台形辺のいずれか一方、または、前記要素四角形平板の辺のいずれか一方を、前記曲げＲ部ロール成形したあとで、トンボして（天地反対にして）前記要素台形平板、前記要素四角形平板の辺のいずれか一方に対する他方の辺周辺曲��Ｒ部を前記ロール成形する前記要素四角形平板、前記要素四角形平板から成ることによって成る。【００３３】  そして、前記課題を解決するため、本考案は、前記要素台形平板に、鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅板、亜鉛板、のいずれか１つの材料を配することによって成る。【００３４】  さらに、前記課題を解決するため、本考案は、前記要素台形平板の屋根側、または、屋根と反対側のいずれか一方に断熱材を積層することによって成る。【００３５】  また、前記課題を解決するため、本考案は、前記要素台形平板、または、前記要素四角形平板の前記馳曲げ部、または、前記防水水切り曲げ部の一部または全部を加工するロール成形機をロール成形するロール成形機を屋根施工現場近傍に持ち込んで加工することによって成る。【００３６】  さらに、前記課題を解決するため、本考案は、前記圧延ロール材料の前記ロール目方向を前記要素台形平板の上底と下底の間の垂直高さ方向に一致させ、前記要素台形平板の少なくとも一方の辺を、前記上底と下底の間の垂直高さ方向、すなわち、前記板金ロール材の圧延ロール目方向に対して、少しの角度をもって斜めになるように、前記板金ロール材を略直線状に切断する切断機を前記屋根施工現場近傍に持ち込んで、前記要素台形平板、または、前記要素四角形平板を切断することによって成る。【００３７】  〈本考案請求項１〜請求項７にかかる作用、効果１〉
したがって、本考案によると、平板円形、平板扇形薄板屋根を形成する、要素台形平板、要素四角形平板の組立、係合でありながら、従来の薄板平板馳係合屋根と同様に、係合性、組み立て性が良好で、施工しやすく、同時に、防水性、水返し機能を満足させ、美観を維持しつつ、薄板屋根部材の加工誤差、組み立て誤差を、冗長性良好に吸収するとともに、少ない部品点数で、安定した耐久品質を効果的に維持できる作用・効果を奏する。【００３８】  〈本考案請求項１〜請求項７にかかる作用、効果２〉
そして、本考案にかかる要素台形平板、要素四角形平板を標準的屋根要素部品として採用すると、平板円形、平板扇形屋根の大面積部分を形成するに、本考案にかかる要素台形平板、要素四角形平板同志を一部重ね合せ、従来技術にかかる角馳係合する場合、標準的要素台形平板、要素四角形平板用いることができ、工場内、施工現場での生産性を良好ならしめる作用・効果を奏する。全体の平板円形、平板扇形屋根の形状によっては、標準的要素台形平板、要素四角形平板の仕様をもとに、当該標準的要素台形平板、要素四角形平板の仕様を少し変えることによって、より複雑な形状の全体平板円形、平板扇形屋根を形成することができる作用・効果を奏する。【００３９】  〈本考案請求項１〜請求項７にかかる作用、効果３〉
本考案の平板円形、平板扇形屋根は、係合性、組み立て性が良好で、施工しやすく、同時に、容易に防水性、水返し機能を満足させ、美観を維持しつつ、薄板屋根部材の加工誤差、組み立て誤差を、冗長性良好に吸収するとともに、少ない部品点数で、安定した耐久品質を効果的に維持できる作用・効果を奏する。防水性、水返し機能を満足させ、強度を維持する機能とともに、外観の美観低下にこれらの機能構造が影響しにくい作用・効果を奏する。【００４０】〈本考案請求項１〜請求項７にかかる作用、効果４〉
また、本考案の平板円形、平板扇形屋根によると、金属の比熱の低さ、伝熱性に起因して、外気温の上下変動に対して熱膨張が発生した際、多くの薄板屋根部材で集積した熱膨張寸法差を、直接係合する要素台形平板、要素四角形平板との組み立て係合構造で、冗長性良好に吸収する作用・効果を奏する。【００４１】〈本考案請求項１〜請求項７にかかる作用、効果５〉
そして、本考案の平板円形、平板扇形屋根によると、台風や強風による負圧と正圧の繰り返し印加時に、冗長性良好に防水性、曲げ部による水返し機能を耐久的に維持し、施工時やメンテナンス時に、作業員が上に乗ったり、施工装置や、材料・工具等を屋根に仮置きした際、撓んだり、撓んだ履歴が残ることを冗長性良好に防止し、撓んだり、撓んだ履歴が残ることによる防水機能の低下をシンプルな構造にて防止する作用・効果を奏する。【００４２】〈本考案請求項１〜請求項７にかかる作用、効果６〉
つまり、本考案の平板円形、平板扇形屋根は、当接させたり、基本的に面積をもって固接させたりする構成、手段ではない。本考案は、軒下唐草部材と薄板屋根部材を所定の面積をもって、むしろしっかりと当接させないことによる、固接させないことによる、特に一定の大きな面積を持って要素台形平板、要素四角形平板相互の馳係合をしっかりと面当接させないことによる、要素台形平板、要素四角形平板に対する位置バラエティ対応性、傾斜バラエティ対応性、組み立て施工しやすさ、耐久、耐候品質の安定性にかかる作用、効果を奏する。【００４３】〈本考案請求項１〜請求項７にかかる作用、効果７〉
これにより、案本考案の平板円形、平板扇形屋根は、要素台形平板、要素四角形平板に、馳曲げと同様に、ロール目方向を概略の軸とする曲げにより、先端の曲げ返し部分を容易に配置することができる。そして、台風等の横殴りの風雨をもってしても、雨がえし作用、効果を奏する。また、本考案の平板円形、平板扇形屋根は、馳曲げ、雨がえし曲げシナジー効果として、強度向上作用を有する。つまり、より少ない要素台形平板、要素四角形平板で、施工時作業員が上に乗ったり、施工装置や、施工時保管時等に材料・工具等を上等に仮置きした際、強度をはっきしつつ、撓んだり、撓んだ履歴が残ることによる防水機能の低下を防止できる作用、効果を奏する。【００４４】〈本考案請求項１〜請求項７にかかる作用、効果８〉
さらに、本考案の平板円形、平板扇形屋根は、要素台形平板、要素四角形平板に、馳曲げ、先端の曲げ返し部分を、ロール目方向を概略の軸とする曲げ加工によって形成し、要素台形平板、要素四角形平板は、加工硬化を受けるので、前記撓み、撓んだ履歴や防水機能の低下作用効果と強度向上を、より薄く、軽く、少ない材料使用にて効果的に実現できる。そして、本考案の平板円形、平板扇形屋根によると、金属の比熱の低さ、伝熱性に起因して、外気温の上下変動に対して熱膨張が発生した際、多くの要素台形平板、要素四角形平板で集積した熱膨張寸法差を、それぞれの要素台形平板、要素四角形平板と係合する馳組立係合構造で、冗長性良好に吸収する作用・効果を奏する。【００４５】  〈本考案請求項１〜請求項７にかかる作用、効果９〉
そして、本考案の平板円形、平板扇形屋根によると、台風や強風による負圧と正圧の繰り返し印加時に、冗長性良好に防水性、水返し機能を耐久的に維持し、施工時やメンテナンス時に、作業員が上に乗ったり、施工装置や、材料・工具等を屋根に仮置きした際、撓んだり、撓んだ履歴が残ることを冗長性良好に防止し、撓んだり、撓んだ履歴が残ることによる防水機能の低下をシンプルな構造にて防止する作用・効果を奏する。【００４６】  〈本考案請求項２にかかる作用、効果１〉
本考案の平板円形、平板扇形屋根によると、前記少なくとも一つの前記要素台形平板の少なくとも一つの前記台形辺部に設けた前記馳曲げ部と、少なくとも一つの要素四角形平板の辺部に設けた馳曲げ部を相互に馳せ係合させることによって、曲率の大きい、つまり、平板円形、平板扇形屋根において、建物の大きさ、形状に適切な、内円弧内円周曲率略内円周、外円弧内円周曲率略外円周の、より大きな平板円形屋根または平板扇形屋根を提供できる作用・効果を奏する。要素台形平板の上底下底の寸法差、上底と下底の間の垂直高さ方向、すなわち、前記板金ロール材の圧延ロール目方向に対して、少しの角度をもって斜めになるようにする板金ロール材を略直線状に切断する斜め角度の大小による傾斜角の要素台形平板の高さとの設計寸法選択によって、平板円形、平板扇形屋根において、建物の大きさ、形状に適切な、内円弧内円周曲率略内円周、外円弧内円周曲率略外円周の、より大きな平板円形屋根または平板扇形屋根を提供できる作用・効果を奏する。【００４７】  〈本考案請求項２にかかる作用、効果２〉
また、本考案では、要素台形平板と要素四角形平板の組み合わせ馳係合によって、様々な曲線、波曲線、漸増漸減曲率内円弧内円周曲率略内円周、外円弧内円周曲率略外円周等の屋根を形成できる作用・効果を奏する。本考案の要素台形平板、要素四角形平板によると、内円弧内円周曲率略内円周、外円弧内円周曲率略外円周をある部分大きくしたり、一部直線形状を採用し、曲げＲ部と直線部と曲げＲ部から成る変形平板円形屋根または変形平板扇形屋根を提供できる作用・効果を奏する。【００４８】  〈本考案請求項３にかかる作用、効果１〉
前記要素台形平板と前記要素四角形平板の辺に設けた曲げＲ部を相互に馳せ係合する馳せ部が基本的に断面直線部を有する基本的角馳係合であることにより、段落００３７〜段落００４７に記載の作用、効果に上のせして、さらに、耐久強度、歪低減、耐熱歪防止、施工時やメンテナンス時に、作業員が上に乗ったり、施工装置や、材料・工具等を屋根に仮置きした際、撓んだり、撓んだ履歴が残ることを冗長性良好に防止し、撓んだり、撓んだ履歴が残ることによる防水機能の低下を低減できる作用・効果を奏する。【００４９】  〈本考案請求項３にかかる作用、効果２〉
本考案請求項３については、前記要素四角形平板の辺の圧延ロール目方向については規定せず、フリーだが、好ましい実施態様としては、前記要素四角形平板の辺の長手方向を圧延ロール目方向に略一致させて切断し、圧延ロール目方向と略直角に馳曲してもよい。この場合、段落００３７〜段落００４７に記載の作用、効果に上のせした段落００４８に記載の効果の他、さらに、耐久強度、歪低減、耐熱歪防止、施工時やメンテナンス時に、作業員が上に乗ったり、施工装置や、材料・工具等を屋根に仮置きした際、撓んだり、撓んだ履歴が残ることを冗長性良好に防止し、撓んだり、撓んだ履歴が残ることによる防水機能の低下を低減できる作用・効果を奏する。【００５０】  〈本考案請求項４にかかる作用、効果〉
プレス成形等に比べてロール成形なので、要素台形平板、要素四角形平板の断面直線部を有する基本的角馳係合曲げＲ部、または、前記防水水切り曲げＲ部を、ロールによって段階的に曲げていくため、大面積を生産性高く成形できる。割れ、クラック等の不具合現象を発生させず、歪の残留を低減できる作用・効果を奏する。結果、段落００３７〜段落００４７に記載の作用、効果を奏し、さらに上のせして段落００４８の作用・効果を奏する。さらに、万一、割れ、クラック等の不具合現象、異常歪を検出した時も、ローラー形状やロール間距離を調整することによって、要素台形平板、要素四角形平板の材質、板厚等に最適な品質、最適な生産性良好な要素台形平板、要素四角形平板にかかる平板円形、平板扇形屋根を提供できる作用・効果を奏する。【００５１】  〈本考案請求項５にかかる作用、効果〉
前記要素台形平板の前記各台形辺のいずれか一方、または、前記要素四角形平板の辺のいずれか一方を、前記曲げＲ部ロール成形したあとで、トンボして（天地反対にして）前記要素台形平板、前記要素四角形平板の辺のいずれか一方に対する他方の辺周辺曲げＲ部を前記ロール成形することによって、よりシンプルなロール成形機によって角馳曲げ部をロール成形できる作用・効果を奏する。要素四角形平板の左右をロール成形して角馳せ曲げ部を形成する場合は、要素四角形平板に対して左右対称的な位置にロール成形機のロールを配すれば、左右の角馳曲げ部を同時に成形できるメリットはある。しかし、全体平板円形屋根または平板扇形屋根を形成する要素台形平板の上底、下底を除く辺部は、平行でないため、左右角馳曲げ部を同時に成形することも可能だが、この場合、ロール成形機のロールの軸間距離を要素台形平板の高さ方向に対して、少しずつ変化させていく必要が出る。ここに、曲げＲ部ロール成形したあとで、トンボして（天地反対にして）前記要素台形平板、前記要素四角形平板の辺のいずれか一方に対する他方の辺周辺曲げＲ部を前記ロール成形することによって、ロール成形機のロール位置を微妙に複雑に設定させることなく、トンボする（天地反対する）ことだけで、同一ロール設定にて、同一品質の角馳せ曲げ部を、要素台形平板の辺部左右に付与できる作用・効果を奏する。板金ロール材の圧延ロール目方向に対して、少しの角度をもって斜めになるように、前記板金ロール材を略直線状に切断した切断線部に対しても、要素台形平板のもう一方の辺部と同じ品質の角馳曲げ部を形成できる作用・効果を奏する。また、これに重ねて段落００３７〜段落００４７に記載の作用、効果を奏する。そして、材料そのものの製造環境負荷の低減、加工装置の入力電力の低減等をふくむ加工時の環境負荷の低減、リサイクル時の環境負荷の低減等大きなライフサイクル総合環境負荷の低減作用を成す効果を奏する【００５２】〈本考案請求項６にかかる作用、効果〉
さらに、本考案の平板円形、平板扇形屋根によると、耐食性・耐久性が良好で、カラフルな美観で、量産性が良い薄板折板屋根部材を水切り防水性良好に、そして、前記施工性を良好に得ることができる。また、メンテナンスの期間スパンも長くなる効果を奏する。また、段落００３７〜段落００４７に記載の作用、効果を奏する。【００５３】〈本考案請求項７にかかる作用、効果〉
前記要素台形平板の屋根側、または、屋根と反対側のいずれか一方に断熱材を積層することによって、要素台形平板や平板円形、平板扇形屋根の一部の要素四角形平板の屋根側、または、屋根と反対側のいずれか一方に断熱材を積層することによって、金属薄板を採用した時、金属の比熱の低さ、伝熱性に起因して、外気温の上下変動に、要素台形平板、要素四角形平板の内側の温度が、追随しやすい現象を抑制できる作用、効果を奏する。結果、結露の発生を低減させることができる作用、効果を奏する。また、これに重ねて段落００３７〜段落００４７に記載の作用、効果を奏する。【００５４】〈本考案にかかる補助的作用、効果１１〉
ロール成形機を屋根施工現場近傍に持ち込んで加工することによって、工場での前記薄板屋根部材の成形等の加工を多くすると、平板円形、平板扇形薄板屋根部材の製品、半製品に曲げ加工等が施される程度に応じて、平板円形、平板扇形薄板屋根部材の製品、半製品そのものが、立体的になる。結果、全体に体積ボリウムが増す。そして、曲げ加工済み部分に、材料の重ね合わせ重量や輸送中の振動等によって変形してしまわないように、輸送専用のマテリアルハンドリング容器・治具の製作が必要になり、輸送コスト、ト―タルコストが上がる。本考案では、これらの工数・コストを低減でき、輸送中の平板円形、平板扇形薄板屋根部材の製品、半製品の品質劣化が回避できる。平板円形、平板扇形薄板屋根部材の施工現場近傍で、多く、前記薄板折板屋根部材の加工をすれば、平板円形、平板扇形薄板屋根部材の製品、半製品の輸送コストと輸送専用のマテリアルハンドリング容器・治具の製作費用が大幅に低減できる作用・効果を奏する。遠隔地でも、ト―タルコストを抑えた組み立て、施工が出来る作用・効果を奏する。【００５５】〈本考案にかかる補助的作用、効果１２〉
このように、要素台形平板、要素四角形平板の角馳曲げ部等の板金塑性加工の一部または全部を加工する塑性加工装置を屋根施工現場近傍に持ち込んで塑性加工することによって、材料そのものの製造環境負荷の低減、加工装置の入力電力の低減等をふくむ加工時の環境負荷の低減、リサイクル時の環境負荷の低減等大きなライフサイクル総合環境負荷の低減作用を成す効果を奏する。要素台形平板、要素四角形平板は、大面積ショッピングセンターや、大面積体育館、大面積公共施設の屋根等は、要素台形平板の高さ方向寸法を長く設定することが多い。このような長尺要素台形平板、要素四角形平板は、馳曲げ部を工場で塑性加工した後で、施工現場に運搬するのは、通常のトラック等の輸送手段では長さゆえに、困難または不可能なことがある。これを回避する作用・効果を奏する。【００５６】〈本考案にかかる補助的作用、効果１３〉
前記圧延ロール材料の前記ロール目方向を前記要素台形平板の上底と下底の間の垂直高さ方向に一致させ、前記要素台形平板の少なくとも一方の辺を、前記上底と下底の間の垂直高さ方向、すなわち、前記板金ロール材の圧延ロール目方向に対して、少しの角度をもって斜めになるように、前記板金ロール材を略直線状に切断する切断機を前記屋根施工現場近傍に持ち込んで、前記要素台形平板、または、前記要素四角形平板を切断する切断機を屋根施工現場近傍に持ち込んで加工することによって、要素台形平板、要素四角形平板は、大面積ショッピングセンターや、大面積体育館、大面積公共施設等の屋根等は、要素台形平板の高さ方向寸法を長く設定することが多い。このような長尺要素台形平板、長尺要素四角形平板は、馳曲げ部を工場で塑性加工した後で、施工現場に運搬するのは、品質上、マテリアルハンドリング上困難または不可能なことがある。これらの困難、不可能を回避する作用・効果を奏する。ロール材のまま施工現場に供給でき、輸送コストを効果的に低減できる作用・効果を奏する。ロール材のまま施工現場に供給できるので、製品、半製品として輸送するより、ハンドリングが容易になる作用・効果を奏する。ロール材のまま施工現場に供給できるため、半製品を輸送する過程で生じる変形不良、傷、打痕等の不具合を回避、低減し歩留まりを向上できる作用・効果を奏する。【００５７】  〈本考案にかかる補助的作用、効果１４〉
要素台形平板、要素四角形平板の製品、半製品そのものが、立体的になる。結果、全体に体積ボリウムが増す。そして、曲げ加工済み部分に、材料の重ね合わせ重量や輸送中の振動等によって変形してしまわないように、輸送専用のマテリアルハンドリング容器・治具の製作が必要になり、輸送コスト、ト―タルコストが上がる。本考案では、これらの工数・コストを低減でき、輸送中の要素台形平板、要素四角形平板製品、半製品の品質劣化が回避できる作用・効果を奏する。【００５８】  ＜本考案にかかる補助的作用、効果１５＞
平板円形屋根、平板扇形屋根の施工現場近傍で、多く、要素台形平板、要素四角形平板部材の加工をすれば、要素台形平板、要素四角形平板部材の製品、半製品の輸送コストと輸送専用のマテリアルハンドリング容器・治具の製作費用が大幅に低減できる作用・効果を奏する。遠隔地でも、ト―タルコストを抑えた組み立て、施工が出来る作用・効果を奏する。このように、要素台形平板、要素四角形平板の角馳曲げ部等のせん断切断加工の一部または全部を加工するせん断切断加工装置を屋根施工現場近傍に持ち込んでせん断切断加工することによって、材料そのものの製造環境負荷の低減、加工装置の入力電力の低減等をふくむ加工時の環境負荷の低減、リサイクル時の環境負荷の低減等大きなライフサイクル総合環境負荷の低減作用を成す効果を奏する。段落００３７〜段落００４７に記載の作用、効果を奏する。
【考案の効果】
【００５９】    本考案の要素台形平板、要素四角形平板によると、係合性、組み立て性が良好で、施工しやすく、同時に、防水性、水返し機能を満足させ、美観を維持しつつ、要素台形平板、要素四角形平板の加工誤差、組み立て誤差を、冗長性良好に吸収するとともに、少ない部品点数で、安定した耐久品質を効果的に維持できる平板円形屋根、平板扇形屋根を提供できる効果を奏する。同時に、横殴りの風雨に対する水返し機能を果たしつつ、要素台形平板、要素四角形平板の加工誤差、組み立て誤差を、冗長性良好に吸収するとともに、少ない部品点数で、安定した耐久品質を効果的に維持する平板円形屋根、平板扇形屋根を提供できる効果を奏する。【００６０】  金属の比熱の低さ、伝熱性に起因して、外気温の上下変動に対して熱膨張が発生した際、多くの要素台形平板、要素四角形平板部材で集積した熱膨張寸法差を、それぞれの組み立て係合構造で、冗長性良好に吸収する作用・効果を奏する平板円形屋根、平板扇形屋根を提供できる。【００６１】  本考案平板円形屋根、平板扇形屋根によると、台風や強風による負圧と正圧の繰り返し印加時に、冗長性良好に防水性、水返し機能を耐久的に維持し、施工時やメンテナンス時に、作業員が上に乗ったり、施工装置や、材料・工具等を屋根に仮置きした際、撓んだり、撓んだ履歴が残ることを冗長性良好に防止し、撓んだり、撓んだ履歴が残ることによる防水機能の低下をシンプルな構造にて防止する作用・効果を奏する。【００６２】  本考案平板円形屋根、平板扇形屋根では、耐食性・耐久性が良好で、カラフルな美観で、量産性が良い薄板折板屋根部材を水切り防水性良好に、そして、前記施工性を良好に得ることができる。また、メンテナンスの期間スパンも長くなる効果を奏する。【００６３】  本考案の平板円形屋根、平板扇形屋根では、要素台形平板、要素四角形平板部材として、金属薄板を採用した時、金属の比熱の低さ、伝熱性に起因して、外気温の上下変動に、前記薄板折板屋根部材の内側の温度が、追随しやすい現象を抑制できる。結果、結露の発生を低減させることができる効果を奏する。【００６４】  本考案の断熱材を配した要素台形平板、要素四角形平板から成る平板円形屋根、平板扇形屋根では、要素台形平板、要素四角形平板部材の断熱効果を経時的に、耐久的により完全に維持できる効果を奏する。要素台形平板、要素四角形平板部材の曲げ部の曲げ加工後、ストレスのかかった表層に発生しやすい表面欠陥とその拡大を外的環境から保護する効果がある。【００６５】  また、本考案の平板円形屋根、平板扇形屋根では、屋根系全体の軽量化により、大きな地震発生時、重量のある屋根によって加勢される建て屋の振動による建て屋そのものの振動、共振、振幅を低減できる効果を奏する。これにより、地震発生時の建て屋の倒壊、半倒壊による被害を減じる作用があるとともに、小さな地震で有っても、共振等による、建て屋の経時劣化を抑制できる効果を奏する。また、板材料の色バラエティにより、建物にふさわしい、施工主体の希望する美観、外観を創出できる効果を奏する。屋根の外観に締結具、雨返し曲げ部などが現れない効果を奏する。【００６６】  また、本考案の平板円形屋根、平板扇形屋根は、馳部の強度が上がって変形しにくくなる効果を奏する。結果、防水効果が経時的に安定的に向上する効果を奏する。さらに、台風や強風による負圧にも正圧にも耐久性が向上する。また、負圧にも正圧にも強度が向上し、負圧と正圧の繰り返し印加時経時耐久性も向上する効果を奏する。【００６７】    本考案は、せん断切断機やロール成形機を屋根施工現場近傍に持ち込んで塑性加工することによって、次の効果を奏する。工場での前記薄板屋根部材の成形等の加工を多くすると、前記薄板屋根部材の製品、半製品に曲げ加工等が施される程度に応じて、前記薄板折板屋根部材の製品、半製品そのものが、立体的になる。結果、全体に体積ボリウムが増す。そして、曲げ加工済み部分に、材料の重ね合わせ重量や輸送中の振動等によって変形してしまわないように、輸送専用のマテリアルハンドリング容器・治具の製作が必要になり、輸送コスト、ト―タルコストが上がる。本考案では、これらの工数・コストを低減でき、輸送中の前記薄板折板屋根部材の製品、半製品の品質劣化が回避できる効果を奏する。前記薄板折板屋根部材の施工現場近傍で、多く、前記薄板折板屋根部材の加工をすれば、前記薄板折板屋根部材の製品、半製品の輸送コストと輸送専用のマテリアルハンドリング容器・治具の製作費用が大幅に低減できる効果を奏する。そして遠隔地施工でも、材料加工費、輸送等サプライチェーント―タルコスト総計を抑えた組み立て、施工が出来る効果を奏する。
【図面の簡単な説明】
【００６８】
【図１】（ａ）、（ｂ）は、本考案の平板円形屋根、平板扇形屋根の要素台形平板を示す模式平面図である。（ｃ）は、本考案の平板円形屋根、平板扇形屋根の要素四角形平板を示す模式平面図である。
【図２】本考案の平板円形屋根、平板扇形屋根の全体を示す模式的斜視図である。
【図３】本考案実施態様の要素台形平板、要素四角形平板のロール成形による馳せ部形成工程の模式的全体的斜視図である。
【図４】本考案実施態様の要素台形平板、要素四角形平板のロール成形による馳せ部形成工程の最終工程を模式的に示す斜視図である。
【図５】本考案実施態様の要素台形平板、要素四角形平板の切断工程を示す斜視図である。
【考案を実施するための形態】
【００６９】  以下、本考案の平板円形屋根、平板扇形屋根の要素台形平板の一実施形態について、適宜図面を参照しながら説明する。図１（ａ）、図１（ｂ）は、本考案の平板円形屋根、平板扇形屋根の要素台形平板、本考案の平板円形屋根、平板扇形屋根の要素四角形平板の実施形態を圧延ロール目方向Ａとともに示す模式平面図である。図１（ａ）において、Ｐ、Ｑは、本考案の平板円形屋根、平板扇形屋根実施形態の要素台形平板である。ＰＵは、要素台形平板Ｐの小上底、ＰＢは要素台形平板Ｐの大上底である。同様に、ＱＵは、要素台形平板Ｑの小上底、ＱＢは要素台形平板Ｑの大上底である。前記要素台形平板の、前記少なくとも上底と下底寸法のいずれか一つの一倍寸法長さを含む整数倍寸法長さに対して、前記少なくとも上底または下底寸法のいずれか一つの一倍寸法長さを含む整数倍の合計３値がロール材の略幅寸法である。つまり、ＰＵ一倍寸法長さとＱＵ一倍寸法長さの合計値をもって、両矢印Ａに示す圧延ロール目方向に対する圧延ロール幅に一致させ、材料の無駄を省く。また、ＰＢ一倍とＱＢ一倍の合計値をもって、圧延ロール幅に一致させ、材料の無駄を省く。
【００７０】  図１（ａ）において、ＱＵは、要素台形平板Ｑの大下底、ＱＢは、要素台形平板Ｑの小上底である。Ｔ１、Ｔ２は、それぞれ要素台形平板Ｐ、Ｑの高さである。図１（ａ）において、ＰＵとＱＵの合計、すなわち、圧延ロール幅に対する高さＴ１、Ｔ２は、設計する全体平板円形、全体平板扇形屋根部材の外円弧略外円周曲率半径の大小によって、適宜設定する。圧延ロール幅は、通称定尺幅寸法を採用することによって、ＪＩＳ規格、業界規格に適合した安定品質の、経済性、生産性良好な要素台形平板、要素四角形平板を得て、経済性、生産性良好な平板円形屋根、平板扇形屋根を得られる。
【００７１】  図１（ａ）において、Ｌａは、圧延ロール材１の左端部、Ｒａは、圧延ロール材１の右端部である。直径３〜４ｍｍ、深さ２０〜３０ｍｍほどのリン青銅板のブレスストロークによる深絞り順送り加工などの場合、圧延ロール材１の左端部Ｌａから数ｍｍ、右端部Ｒａから数ｍｍについては、リン青銅圧延ロール材のＬａ、Ｒａから数ｍｍを除く大半の中心部に対して、深絞性が少し異なる、わずかなクラック等の不具合現象が発生しやすい等の問題が発生することがある。しかし、本考案実施態様の場合は、全方向からの曲げ、つまり絞りでないこと、ロール成形のため、曲げのストロークが著しく遅いこと、ロール形状によって順次曲げていく一方向のみの曲げであること等に起因して、これら、リン青銅板のブレスストロークによる深絞り順送り加工における不具合現象が全く発生しない作用・効果を奏する。
【００７２】  本考案実施態様では、図１（ａ）において、圧延ロール材１の左端部Ｌａ、圧延ロール材１の右端部Ｒａ近傍に、本考案実施態様にかかる角馳曲げをロール成形で施した際、圧延ロール材１の左端部Ｌａから数ｍｍ、右端部Ｒａから数ｍｍをほぼ全部の角馳曲げが回避してしまう作用・効果を奏する。よしんば、左端部Ｌａ、右端部Ｒａ先端に雨返し曲げ部を設定した時でも、本考案実施態様にかかる材質での角馳曲げをロール成形である限り、前記リン青銅板のブレスストロークによる深絞り順送り加工などにおける不具合は一切発生しない作用・効果を奏する。本考案実施態様では、要素台形平板Ｐ、Ｑの各上底と下底を相互に逆に設定しているので、圧延ロールエッジ、左端部Ｌａ、右端部Ｒａを同一高さとしてＴ１、Ｔ２とする表裏して性質の同様な要素台形平板Ｐ、Ｑを得ることができる。作用・効果を奏する。結果、左端部Ｌａ、右端部Ｒａに角馳曲げをロール成形を施す際、ロール成形機に表裏を変えて投入するのみでよく、品質が安定して、かつ、段取り替え、ロール設定条件替え等の調整必要が軽減し、馳曲げロール成形の歩留まりが向上し、かつ、生産性が良好になる作用・効果を奏する。
【００７３】  本考案実施態様では、図１（ａ）において、Ｃ１は、要素台形平板Ｐの要素台形平板Ｐの小上底ＰＵ、要素台形平板Ｐの大上底ＰＢ、要素台形平板Ｑの大下底ＱＵ、要素台形平板Ｑの小上底ＱＢに対する高さ方向辺Ｔ１、Ｔ２、すなわち、前記板金ロール材の圧延ロール目方向矢印Ａに対して、少しの角度をもって斜めになるように、前記板金ロール材を略直線状に切断して形成される切断線である。切断線Ｃ１によって、要素台形平板Ｐの台形辺Ｈ１、要素台形平板Ｑの台形辺Ｈ２が形成される。
【００７４】  本考案実施態様では、図１（ａ）において、左端部Ｌａ、右端部Ｒａは、板金ロール材の圧延ロール目方向矢印Ａに対して平行方向である。板金ロール材の圧延ロール目方向矢印Ａに対して、少しの角度をもって斜めになるように、前記板金ロール材を略直線状に切断して形成される切断線Ｃ１も、角馳組み立て時に全体として、平板円形屋根または平板扇形屋根を形成できるように少しの角度をもって斜めに形成されるが、板金ロール材の圧延ロール目方向矢印Ａに対して、略平行方向である。ここに、板金ロール材の圧延後の内部の結晶組織もこのロール目矢印Ａ方向に流れているため、切断線Ｃ１による切断時、切断線Ｃ１による切断後ともに、要素台形平板Ｐ、要素台形平板Ｑにソリや歪が発生しにくい作用・効果を奏する。小上底ＰＵ、大上底ＰＢ、大下底ＱＵ、小下底ＱＢの真直度に、加工直後に対して、組み立て時に狂いが発生しにくい作用・効果を奏する。加工直後に対して組み立て時に、要素台形平板Ｐ、要素台形平板Ｑの平面度の狂いが発生しにくい作用・効果を奏する。
【００７５】  さらに、本考案実施態様では、組み立て直後の小上底ＰＵ、大上底ＰＢ、大下底ＱＵ、小上底ＱＢの真直度が、気温変化、ヒートショック、耐候変化等の繰り返し印加後、狂いにくい作用・効果を奏する。そして、本考案実施態様では、要素台形平板Ｐ、要素台形平板Ｑの組み立て直後の平面度が、気温変化、ヒートショック、耐候変化等の繰り返し印加後、狂いにくい作用・効果を奏する。
【００７６】  ロール目矢印Ａ方向と平行な曲げ軸にかかる軸に直角面内方向のローラ曲げによる左端部Ｌａ近傍における角馳曲げ加工、ロール目矢印Ａ方向と平行な曲げ軸にかかる軸に直角面内方向のローラ曲げによる右端部Ｒａ近傍における角馳曲げ加工、要素台形平板Ｐの台形辺Ｈ１近傍におけるロール目矢印Ａ方向と平行な曲げ軸にかかる軸に直角面内方向のローラ曲げによる角馳曲げ加工、要素台形平板Ｑの台形辺Ｈ２近傍におけるロール目矢印Ａ方向と平行な曲げ軸にかかる、軸に直角面内方向のローラ曲げによる角馳曲げ加工が、共に、表面クラックが入りにくくなる作用・効果を奏する。
【００７７】  ロール目矢印Ａ方向と平行な曲げ軸にかかる軸に直角面内方向のローラ曲げ加工によって、要素台形平板Ｐ、Ｑの台形辺部Ｈ１、Ｈ２、Ｔ１、Ｔ２での、角馳曲げ加工を施すため、本考案実施態様の平板円形屋根、平板扇形屋根は、段落００３７〜段落００５３に記載の作用・効果を奏する。ロール目矢印Ａ方向と平行な曲げ軸にかかる軸に直角面内方向のローラ曲げ加工によって、要素台形平板Ｐ、Ｑの台形辺部Ｈ１、Ｈ２、Ｔ１、Ｔ２での、角馳曲げ加工を施すため、中でも、段落００４５、段落００４８、段落００４９、段落００５３に記載の作用・効果を著しく奏する。
【００７８】  次に、図１（ｂ）を参照して本考案の平板円形屋根、平板扇形屋根の要素台形平板の一実施形態について、適宜図面を参照しながら説明する。図１（ｂ）において、Ｍは、左要素台形平板、Ｎは、中央要素台形平板、Ｏは、右要素台形平板である。Ｌｂは、圧延ロール材１の左端部、Ｒｂは、圧延ロール材１の右端部である。ＭＢは、要素台形平板Ｑの大下底、ＭＵは、要素台形平板Ｍの小上底である。ＮＢは、要素台形平板Ｎの大下底、ＮＵは、要素台形平板Ｍの小上底である。ＯＢは、要素台形平板Ｏの大下底、ＯＵは、要素台形平板Ｏの小上底である。Ｔ３、Ｔ４は、図１（ａ）と同様、圧延ロール幅に対する高さである。前記要素台形平板の、前記少なくとも上底と下底寸法のいずれか一つの一倍を含む整数倍に対して、前記少なくとも上底または下底寸法のいずれか一つの一倍を含む整数倍の合計値がロール材の略幅寸法である。つまり、ＭＵ一倍とＯＵ一倍、ＮＢ一倍の合計ｂ３値をもって、両矢印Ａに示す圧延ロール目方向に対する圧延ロール幅に一致させ、材料の無駄を省く。また、ＭＢ一倍とＯＢ一倍、ＮＵ一倍の三値合計値をもって、圧延ロール幅に一致させ、材料の無駄を省く。
【００７９】  本考案の一実施態様では、図１（ｂ）において、Ｃ２、Ｃ３は、要素台形平板Ｍ、Ｎ、Ｏの小上底、大上底、大下底、小下底に対する高さ方向辺Ｔ３、Ｔ４、すなわち、前記板金ロール材の圧延ロール目方向矢印Ｂに対して、少しの角度をもって斜めになるように、前記板金ロール材を略直線状に切断して形成される切断線である。切断線Ｃ２、Ｃ３によって、要素台形平板Ｐの台形が形成される。
【００８０】  次に、図１（ｃ）を参照して本考案の平板円形屋根、平板扇形屋根の要素台形平板の一実施形態について、適宜図面を参照しながら説明する。図１（ｃ）において、Ｃ５は、要素四角形平板Ｗ、Ｖの辺部Ｗｗ、Ｖｗに対する高さ方向辺Ｔ５、Ｔ６、すなわち、前記板金ロール材の圧延ロール目方向矢印Ｃに対して、前記板金ロール材を略直線状に切断して形成される切断線である。切断線Ｃ５によって、圧延ロール材１の左端部Ｌｃ、右端部Ｒｃとともに要素四角形平板Ｗ、Ｖの四角形が形成される。
【００８１】  本考案の一実施態様では、図１（ａ）、図１（ｂ）、図１（ｃ）に示す要素台形平板Ｐ、Ｑ、Ｍ、Ｎ、Ｏと要素四角形平板Ｗ、Ｖの組み合わせによって、Ｔ１〜Ｔ５寸法と要素台形平板Ｐ、Ｑ、Ｍ、Ｎ、Ｏの各上底寸法と各下底寸法との差によって、大きな曲率の平板円形屋根、大きな曲率の平板扇形屋根、小さな曲率の平板円形屋根、小さな曲率の平板扇形屋根、大きな曲率の波型平板屋根、小さな曲率の波型平板屋根を組み立てられる作用・効果を奏する。
【００８２】  本考案の一実施態様では、段落００８１に記載の組み立て係合の際に、図１（ａ）における左端部Ｌａ、切断線Ｃ１対応辺（台形辺部Ｈ１、Ｈ２）、右端部Ｒａのいずれか二者間における係合、図１（ｂ）における左端部Ｌｂ、切断線Ｃ２、Ｃ３対応辺、右端部Ｒｂのいずれか二者間における係合、図１（ｃ）における左端部Ｌｃ、切断線Ｃ４対応辺、右端部Ｒｃのいずれか二者間における係合に際して、本出願人特許第３７４９９９９号公報（特開２００３−２４７３０３号公報）に記載の組み立て係合をなすことで、平板円形屋根、平板扇形屋根、波型平板屋根として、段落００３７〜段落００５３に記載の作用・効果を奏する。
【００８３】  すなわち、本考案の一実施態様では、平坦部の左端には左段差部、左平坦部、起立部、半三角形状の突出部、垂直部及び水平部を順次連設した左起立部を設けるとともに、前記平坦部の右端には右段差部、右平坦部、起立部、半三角形状の突出部、垂直部、平坦部及び垂下部を順次連設した右起立部を設けた屋根板と、左傾斜部の下部には左折返部を設け前記左折返部に折返部を介して左折返片を連設するとともに右傾斜部の下部には右折返部を設け前記右折返部に折返部を介して右折返片を設け、前記左折返と前記右折返片間には間隙を設けて前記左傾斜部と右傾斜部とを連設したキャップと、垂直部の上端には右方向に上水平部を設け、前記垂直部の下端には左方向に下水平部を設けた吊子とからなり、前記吊子を野地板上の所望の個所に下水平部を固定し、前記吊子の垂直部の右側には屋根板の左起立部を、左側には屋根板の右起立部を密着するように設置し、前記屋根板の左起立部と右起立部とを前記吊子により巻き付けて接合し、接合した接合部に前記キャップを嵌着させることによって、要素台形平板Ｐ、Ｑ、Ｍ、Ｎ、Ｏ等と要素四角形平板Ｗ、Ｖ棟の組み合わせによって、平板円形屋根、平板扇形屋根、波型平板屋根として、段落００３７〜段落００５３に記載の作用・効果を奏する。毛細管現象による雨水の侵入を特に効果的に防止する作用・効果を奏する。万一の水分の流入現象に対しても、下馳部分に、防水テープを貼布することにより、効果的に雨水の侵入を防止できる作用・効果を奏する。そして、平板円形屋根、平板扇形屋根、波型平板屋根として、緩勾配であっても、また、平板円形屋根、平板扇形屋根、波型平板屋根の平板が、緩やかな曲率を持った曲面であっても、良好な施工性を維持できる作用・効果を奏する。屋上等の陸屋根であっても、段落００３７〜段落００５３と段落００８３に記載の作用・効果を奏する。
【００８４】  本考案の平板円形屋根、平板扇形屋根の一実施態様の全体を示す模式的斜視図である。図２を参照して、本考案の平板円形屋根、平板扇形屋根の一実施態様の全体を説明する。図２において、２、３、４、５、６、７、８、９、１０、１１、１２、１３、１４は、大台形屋根ユニットである。２ａ、３ａ、４ａ、５ａ、６ａ、７ａ、１３ａ、１４は、模式的斜視図として、大台形屋根ユニット２、３、４、５、６、７、１３、１４等をわかりやすく示すための、それぞれの大台形屋根ユニットの陰である。
【００８５】  図２において、本考案の平板円形屋根、平板扇形屋根の一実施態様の大台形屋根ユニット２、３、４、５、６、７、８、９、１０、１１、１２、１３、１４は、要素台形平板Ｐ、Ｑ、Ｍ、Ｎ、Ｏをいずれか一つを少なくとも一部に配して構成する。
【００８６】  図２において、本考案の平板円形屋根、平板扇形屋根の一実施態様として、大台形屋根ユニット２は、左端に要素台形平板Ｐ、または、要素台形平板Ｑ、要素台形平板Ｍ、または要素台形平板Ｏ等を配置し、中ほどに要素四角形平板Ｗ、Ｖを単数、または、複数配し、大台形屋根ユニット２の右端部に、要素台形平板Ｐ、または、要素台形平板Ｑ、要素台形平板Ｍ、または要素台形平板Ｏ等を配置する。ここに、左端に要素台形平板Ｐ、または、要素台形平板Ｑの右端部Ｌａ、左端部Ｒａを配置すると、大台形屋根ユニット２の屋根と建屋の垂直面が平板円形屋根、平板扇形屋根の半径方向に正確に一致するため、屋根と建物の美観が向上する作用・効果を奏する。大台形屋根ユニット５においても、大台形屋根ユニット２の左と右を置き換えると、段落００８６の上Ｌ８以前と相当の作用・効果を奏する。また、段落００３７〜段落００５３に記載の作用・効果を奏する。
【００８７】  図２において、本考案の平板円形屋根、平板扇形屋根の一実施態様として、大台形屋根ユニット３、４は、左端に要素台形平板Ｐ、または、要素台形平板Ｑ、要素台形平板Ｍ、または要素台形平板Ｏ等を配置し、中ほどに要素四角形平板Ｗ、Ｖを単数、または、複数配し、大台形屋根ユニット３、４の右端部に、要素台形平板Ｐ、または、要素台形平板Ｑ、要素台形平板Ｍ、または要素台形平板Ｏ等を配置する。そして、段落００３７〜段落００５３に記載の作用・効果を奏する。
【００８８】  図２において、本考案の平板円形屋根、平板扇形屋根の一実施態様として、大台形屋根ユニット８、９、１０、１１、１２、１３、１４も、大台形屋根ユニット６、７も、段落００８４〜００８７に記載内容と同様に、段落００３７〜段落００５３に記載の作用・効果を奏する。
【００８９】  ここまでの実施態様で、要素台形平板Ｐ、または、要素台形平板Ｑ、要素台形平板Ｍ、または要素台形平板Ｏ等の、大上底ＰＢ、大下底ＱＵ、大下底ＭＢ、大下底ＯＢは、直線状の実施態様を示した。これらの実施態様では、端部以外の要素四角形平板Ｗ、Ｖ等との関係で大台形屋根ユニットの大上底に相当する部分が直線になる。結果多辺多角形にはなるが、本考案の平板円形屋根、平板扇形屋根の定義に含める。
【００９０】  図２において、本考案の一実施態様として、要素台形平板Ｐ、要素台形平板Ｑ、要素台形平板Ｍ、または要素台形平板Ｏ等の、大上底ＰＢ、大下底ＱＵ、大下底ＭＢ、大下底ＯＢを緩やかな曲線となし、大台形屋根ユニット２、３、４、５、６、７、８、９、１０、１１、１２、１３、１４の大下底相当の辺を全体に緩やかな曲線となすことによって、多辺多角形を定義に含む平板円形屋根、平板扇形屋根から、厳密な連続曲線から成る平板円形屋根、平板扇形屋根、波型平板屋根と成すことにより、柔らかなイメージの美観を得る作用・効果を奏する。
【００９１】  また、本考案の別の一実施態様として、要素台形平板Ｐ、要素台形平板Ｑ、要素台形平板Ｍ、または要素台形平板Ｏ等の制作時は、平面で効率的に切断、ロール成形を施し、段落００８３に記載の手段を施して、組み立て施工時に、緩やかな曲率を有して、要素台形平板Ｐ、要素台形平板Ｑ、要素台形平板Ｍ、または要素台形平板Ｏ等を組み立て施工し、厳密に平板な円形屋根、扇形屋根、波型屋根でなく、結果的に緩やかな曲率を有する円形屋根、扇形屋根、波型屋根として完成させられる作用・効果を奏する。
【００９２】  段落００９１までの実施態様は、屋根という用語を用いての実施態様で説明した。ここに、本考案は、水平と垂直のみが、異なるだけで、本考案の別の一実施態様として、建物の側壁、サイディングとして、作用・効果を奏する。屋根を建物の側壁、サイディングと置き換えても同一の手段、構成で、記述のすべての作用・効果を奏する。本考案は、屋根という用語を建物の側壁、サイディングと置き換えても、同一の手段、構成で、記述のすべての作用・効果を奏する。
【００９３】  図３は、本考案実施態様の要素台形平板、要素四角形平板のロール成形による馳せ部形成工程の模式的全体的斜視図である。図３において、２２は、成形側ロール。成形側ロールは、図３の左手前から、右奥に向かって、本考案実施態様は、１６個配置し、形と位置を図３に示すように、少しずつ変えながら、投入間もない要素台形平板Ｐ１、Ｑ１を、馳せ部完成間近い要素台形平板Ｐ２、馳せ部完成間近い要素台形平板Ｑ２に至る過程で、ロール目方向と概略同じ送り方向Ｄに送りながら、馳せ部２１を形成する。成形側ロール２２は、図３にては、１６セットある実施態様を示したが、加工する板厚、材質特性によっては、１７セット以上でも、１５セット以下でもよい。ここに、要素台形平板Ｐ１、Ｑ１を、馳せ部完成間近い要素台形平板Ｐ２、馳せ部完成間近い要素台形平板Ｑ２にて説明したが、要素台形平板を要素四角形平板に置き換えて、投入間もない要素四角形平板ｐ１、投入間もない要素四角形平板ｑ１、馳せ部完成間近い要素四角形平板ｐ２、馳せ部完成間近い要素四角形平板ｑ２、とすることができる作用・効果を奏する。
【００９４】  本考案の一実施態様では、成形側ロール２２が、少しずつ形状、位置を変化させて配置することによって、成形側ロール２２側で、図面左下の成形側ロール２２から、図面右上のロール２２に送る過程で、順次曲げ加工を進展させて、馳せ部２１を完成に近づけていく。
【００９５】  ロール材の略幅寸法と直角方向の圧延ロール目方向とほぼ同一に近い方向を送り方向Ｄ  に略一致させながら、要素台形平板Ｐ１、Ｑ１を、馳せ部完成間近い要素台形平板Ｐ２、馳せ部完成間近い要素台形平板Ｑ２、要素四角形平板ｐ１、投入間もない要素四角形平板ｑ１、馳せ部完成間近い要素四角形平板ｐ２、馳せ部完成間近い要素四角形平板ｑ２を送っていく。ここに、要素四角形平板ｐ１、投入間もない要素四角形平板ｑ１、馳せ部完成間近い要素四角形平板ｐ２、馳せ部完成間近い要素四角形平板ｑ２の場合は圧延ロール目方向と送り方向Ｄは、一致する。要素台形平板Ｐ１、Ｑ１を、馳せ部完成間近い要素台形平板Ｐ２、馳せ部完成間近い要素台形平板Ｑ２の場合、右端部Ｌａ、左端部Ｒａ、Ｌｂ、左端部Ｒｂを、図３の成形側ロール２２側にして、送り方向Ｄに送る場合は、圧延ロール目方向と送り方向Ｄは、一致する。少し斜めに切断したＣ１、Ｃ２、Ｃ３に対応するＨ１、Ｈ２等を成形側ロール２２に設定して送る場合は、斜めにしたＣ１、Ｃ２、Ｃ３に対応するＨ１、Ｈ２等の少しの角度の分、圧延ロール目方向と送り方向Ｄは一致しないので、略一致という記載にした。
【００９６】  本考案の一実施態様では、図３に示すように、馳せ部完成間近い要素台形平板Ｐ２、馳せ部完成間近い要素台形平板Ｑ２が、一連の成形側ロール２２群、送り側ロール２３群を図３右上の方に脱する前に、次の投入間もない要素台形平板Ｐ１、投入間もない要素台形平板Ｑ１を図３左から連続的に投入できるので生産性がとてもよい作用・効果を奏する。成形側ロール２２群、送り側ロール２３群の特性が変わらないうちに当該ロットの加工を終了出来るので品質が安定する作用・効果を奏する。
【００９７】  本考案の一実施態様では、図３に示すように、圧延ロール材料の前記ロール目方向、すなわち、前記要素台形平板の上底と下底の間の垂直高さ方向が、成形側ロール２２の略軸（略との表現は、段落００９５の圧延ロール目方向と送り方向Ｄは一致との趣旨と同様である。）方向であるため、つまり、要素台形平板の前記各台形辺に平行になる圧縮側内側曲げＲ軸（引張側曲げＲ軸）をもって、前記圧延ロール目方向に対して、略直角方向に曲げることによって、前記要素台形平板の前記馳曲げ部を形成する前記要素台形平板となすために、段落００３７〜段落００５３に記載の作用・効果を奏する。
【００９８】  次に、本考案実施態様の要素台形平板、要素四角形平板のロール成形による馳せ部形成工程の最終工程を模式的に示す斜視図である図４を参照して、本考案実施態様の要素台形平板、要素四角形平板の馳せ部が、最終的に形成される工程を説明する。図４は、図３右上の位置から図３の手前側を見た図である。つまり、図３と左右が逆転し、図３の矢印Ｄの方向が、図４の矢印Ｅの方向である。図３の複数の成形ローラ２２を経過する過程で、少しずつ変形が進展し、矢印Ｅの方向に連続的に移動しながら、図４における成形ローラ２２ｚによって、最終成形が一段落し、要素台形平板Ｐ２、Ｑ２、要素四角形平板ｐ２、要素四角形平板ｑ２が出力される。２３ｚは、最終成形ローラ２２ｚと同軸に配置された送り側ロールである。送り側ロール２３ｚは、その他の送り側ロールと同様に、要素台形平板Ｐ２、Ｑ２、要素四角形平板ｐ２、要素四角形平板ｑ２を上下方向に拘束しつつ、要素台形平板Ｐ２、Ｑ２、要素四角形平板ｐ２、要素四角形平板ｑ２を矢印Ｅの方向に連続的に送る作用・効果を奏する。図３の複数の成形ローラ２２と成形ローラ２２ｚを成形ローラ２２ｚと上下対をなす下成形ローラによって、一定品質の馳曲げ部形状を得る作用・効果を奏する。曲げが圧延目ロール目に直角方向のため、割れが発生しにくく、かつ、出来上がった製品、半製品に反りや歪の不具合が発生しにくい作用・効果を奏する。
【００９９】  図５は、本考案の一実施態様の要素台形平板、要素四角形平板の切断工程を示す斜視図である。図５において、矢印Ｆが圧延ロール目方向で、Ｃ５が切断部、αが要素台形平板Ｐの時、βが、要素台形平板Ｑである。αが要素台形平板Ｍの時、βが、要素台形平板Ｎである。αが要素台形平板Ｎの時、βが、要素台形平板Ｏである。αが要素四角形平板Ｗの時、βが、要素四角形平板Ｖである。図５において、右円筒ロールで上下方向に拘束しつつ、送りをかけて、右円筒ロールの左に設置したカッターにて、連続的に切断し、切断部Ｃ５（Ｃ１、Ｃ２、Ｃ３、Ｃ４等）を形成する。ここに、切断部Ｃ５（Ｃ１、Ｃ２、Ｃ３、Ｃ４等）は、本考案の一実施態様では、ロール目方向に一致するか、少しの角度を有する程度にロール目方向に略一致のため、切断後の要素台形平板Ｐ、要素台形平板Ｑ、要素台形平板Ｍ、要素台形平板Ｎ、要素台形平板Ｎ要素台形平板Ｏ、要素四角形平板Ｗ、要素四角形平板Ｖ等の半製品に反りや歪が発生しにくい作用・効果を奏する。このため、切断後に、段落００９３〜段落００９８に記載の馳せ部曲げ加工工程時に、よりスキューを少なく送ることができ、精度よく、作業性が向上し、連続曲げ加工できる作用・効果を奏する。
【０１００】  本考案の一実施態様として、要素四角形平板Ｗ、要素四角形平板Ｖ等は、左右に配置した成形ロールの間を、ロール目方向に一致させた送りで、左右の馳曲げを同時に加工し、生産性を上げられる作用・効果を奏する。要素台形平板の前記各台形辺のいずれか一方、または、要素四角形平板の辺のいずれか一方を、馳曲げＲ部ロール成形したあとで、トンボして（天地反対にして）前記要素台形平板、前記要素四角形平板の辺のいずれか一方に対する他方の辺周辺馳曲げＲ部、または、前記防水水切り曲げＲ部をロール成形することにより、一部斜めに切断した台形辺を有する要素台形平板を品質安定に加工することができる作用・効果を奏する。トンボして（天地反対にして）もう一方の馳曲げＲ部をロール成形することにより、つまり、同一ロール群で左右の馳曲げＲ部、または、前記防水水切り曲げＲ部をロール成形することにより、装置のばらつきを拾わずに、品質安定に加工することができる作用・効果を奏する。
【０１０１】  要素台形平板、または、要素四角形平板に、鋼板、カラー鋼板、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板、銅板、亜鉛板、のいずれか１つの材料を配することにより、本考案の一実施態様の平板円形屋根、平板扇形屋根は、耐食性・耐久性が良好で、カラフルな美観で、量産性が良い薄板折板屋根部材を水切り防水性良好に、そして、前記施工性を良好に得ることができる。また、メンテナンスの期間スパンも長くなる効果を奏する。また、段落００３７〜段落００４７に記載の作用、効果を奏する。
【０１０２】  前記要素台形平板または、要素四角形平板の屋根側、または、屋根と反対側のいずれか一方に断熱材を積層することによって、要素台形平板や平板円形、平板扇形屋根の一部の要素四角形平板の屋根側、または、屋根と反対側のいずれか一方に断熱材を積層することによって、本考案の一実施態様の平板円形屋根、平板扇形屋根は、金属薄板を採用した時、金属の比熱の低さ、伝熱性に起因して、外気温の上下変動に、要素台形平板、要素四角形平板の内側の温度が、追随しやすい現象を抑制できる作用、効果を奏する。結果、結露の発生を低減させることができる作用、効果を奏する。また、これに重ねて段落００３７〜段落００４７に記載の作用、効果を奏する。
【０１０３】  本考案の一実施態様では、要素台形平板、または、前記要素四角形平板の前記馳曲げ部、または、前記防水水切り曲げ部の一部または全部を加工するロール成形機を屋根施工現場近傍に持ち込んで加工することによって、段落００５４、段落００５５に記載の作用、効果を奏する。
【０１０４】  本考案の一実施態様では、圧延ロール材料の前記ロール目方向を前記要素台形平板の上底と下底の間の垂直高さ方向に一致させ、前記要素台形平板の少なくとも一方の辺を、前記上底と下底の間の垂直高さ方向、すなわち、前記板金ロール材の圧延ロール目方向に対して、少しの角度をもって斜めになるように、前記板金ロール材を略直線状に切断する切断機を前記屋根施工現場近傍に持ち込んで、前記要素台形平板、または、前記要素四角形平板を切断することによって、段落００５６、段落００５７、段落００５８に記載の作用、効果を奏する。
【０１０５】  また、本考案の一実施形態では、要素台形平板、要素四角形平板の材料として、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板を関東地方で、対候試験をしたところ、８年経過サンプル、１１年経過サンプル、２１年経過サンプルのいずれも、雨水漏れ現象が発生しない状態を更新中である。
【０１０６】    本考案の要素台形平板、要素四角形平板に断熱材を積層してなる平板円形屋根または平板扇形屋根の一実施形態では、断熱材Ｔとして厚さ２ｍｍのポリエチレンフォームを積層した。ポリエチレンフォームは、ポリエチレン樹脂（ＬＤＰＥ、ＥＶＡ）を基材として、発砲架橋させた市販のフォームが、屋根の断熱材として積層するに好適である。元来、ブロック状で生産されるが、スライス・裁断・粘着・融着・打抜き・接着・熱圧成形等の加工を経て、金属薄板屋根のヒートサイクル下でも、結露を誘発しにくく、屋根として複合積層し、防水性良好な薄板屋根複合積層部材として機能する。
【０１０７】    また、本考案の一実施形態の平板円形屋根または平板扇形屋根では、要素台形平板、要素四角形平板の材料として、塗装ステンレス鋼板、クラッドメタル材、溶融アルミニウムめっき鋼板、ガルバリウム（Ｇａｌｖａｌｕｍｅ）鋼板（登録商標）、アルミニウム−亜鉛合金めっき鋼板、フッ素鋼板、ポリ塩化ビニール樹脂等の樹脂被覆鋼板、前塗装アルミニウム板、塗装アルミニウム板を関東地方で、対候試験をしたところ、８年経過サンプル、１１年経過サンプル、２１年経過サンプルのいずれも、雨水漏れ現象が発生しない状態を更新中である。
【０１０８】  本考案の一実施形態では、断熱材Ｔに積層させるポリエチレンフォームには、水・空気を通さない独立気泡タイプと、水・空気を通す連続気泡タイプの２種類があるが、防水の観点では、水・空気を通さない独立気泡タイプが好適である。独立気泡ポリエチレンフォームを金属材料の薄板折板屋根部材に積層させるともともと気泡はきめ細かく、柔軟性、復元性、優れた緩衝性、断熱性、浮揚性、耐候性、耐薬品性があるので、断熱効果が高い他、施工時作業員が上に乗ったり、施工装置や、材料・工具等を仮置きした際、重力その他によって要素台形平板、要素四角形平板が、上下・左右の応力を受けた時、弾性的に抗する作用がある。結果、施工時作業員が上に乗ったり、施工装置や、材料・工具等を仮置きした際、撓んだり、撓んだ履歴が残ることが低減される。また、撓んだり、撓んだ履歴が残ることによる防水効果の低下が抑止される効果を奏する。酸性雨が馳せ部等から万一回り込んだとしても、耐久性ある、ライフの長い要素台形平板、要素四角形平板として機能する。難燃性能を有した独立気泡ポリエチレンフォームを採用すると、万一の火災発生の時、有利である。
【０１０９】  そして、本考案の一実施形態では、要素台形平板、要素四角形平板として、熱延薄鋼板類、冷延薄鋼板類、表面処理薄鋼板［亜鉛をめっきした亜鉛めっき鋼板、スズをめっきした錫めっき鋼板（ブリキ）、クロム酸処理を施したティンフリースチール、塗装を施したカラー鋼板（塗装鋼板・プレコート鋼板）、銅版、亜鉛板］を関東地方で、対候試験をしたところ、比較例のスレート系屋根が、２０年以下でクラック、ひび割れ等による雨水漏れ現象が複数検出されたのに対して、前記すべての要素台形平板、要素四角形平板に関して、妥当性要素試験装置で３０年経過した時点で、雨水漏れ現象は検出されていない。
【産業上の利用可能性】
【０１１０】    近年国内で発生した大きな地震では、重量の大きな和瓦が耐震構造の充分でない住宅、建て屋を倒壊、半倒壊させて被害を招いている。将来発生が予想される地震でもこのような被害が懸念される。スレート屋根等重量がある屋根は、大きな地震での住宅、建て屋に与える負担が大きい。ここに、これらを回避し、耐久性が高く、メンテナンススパンも長い、例えば金属薄板から成るとともに、軽量で強度があり、防水性の高い薄板折板屋根部材を提供するので、産業上の利用可能性が大きい。いわゆる建造物の屋根の他、大型建造物から中小建造物の側壁、伝統的建造物の側壁、柱の側壁等の各種側壁に至る領域にも応用できる。映える美観の側壁、シャープな美観の側壁に応用できる。伝統的建造物の他、近代的現代的建造物に応用できる。ここに近年、学校、体育館、工場、公共施設、ショッピングセンター等の屋根として産業上の利用可能性が大きい。
【符号の説明】
【０１１１】１      圧延ロール材
Ｐ      要素台形平板
Ｑ      要素台形平板
Ｄ      送り方向
ＰＵ    要素台形平板Ｐの小上底
ＰＢ    要素台形平板Ｐの大上底
ＱＵ    要素台形平板Ｑの大下底
ＱＢ    要素台形平板Ｑの小上底
２      大台形屋根ユニット
３      大台形屋根ユニット
４      大台形屋根ユニット
５      大台形屋根ユニット
６      大台形屋根ユニット
７      大台形屋根ユニット
８      大台形屋根ユニット
９      大台形屋根ユニット
１０    大台形屋根ユニット
１１    大台形屋根ユニット
１２    大台形屋根ユニット
１３    大台形屋根ユニット
１４    大台形屋根ユニット
２１    馳せ部
２２    成形側ロール
２３    送り側ロール
Ｐ１    投入間もない要素台形平板
Ｑ１    投入間もない要素台形平板
Ｐ２    馳せ部完成間近い要素台形平板
Ｑ２    馳せ部完成間近い要素台形平板
【図１】
0003224789.tif 000003
【図２】
0003224789.tif 000004
【図３】
0003224789.tif 000005
【図４】
0003224789.tif 000006
【図５】
0003224789.tif 000007
【手続補正書】
【提出日】令和1年10月28日(2019.10.28)
【手続補正１】
【補正対象書類名】実用新案登録請求の範囲
【補正対象項目名】全文
【補正方法】変更
【補正の内容】
【実用新案登録請求の範囲】
【請求項１】
略台形の上底と下底の内のいずれか寸法の大の要素台形平板を少なくとも一つ用いるに際して、
前記略台形の前記要素台形平板の上底と下底の内のいずれか寸法の大の側を、
全体平板円形、全体平板扇形屋根部材の外円弧略外円周曲率とすべく、
前記少なくとも一つの略台形の前記要素台形平板の台形辺において、上底と下底の方向と略垂直方向軸のいずれかを曲げ軸系とする水返し防水部を有する馳係合部曲げ構造を形成し、
前記要素台形平板の前記台形辺において連結馳係合させ、
前記要素台形平板の上底と下底の方向と略垂直方向軸のいずれか一辺近傍を曲げ軸系とし、
前記要素台形平板の上底と下底のいずれか寸法の小の側を少なくとも一つ用いて、
内円弧内円周曲率略内円周と成す、全体が前記平板円形、前記平板扇形となる屋根であって、
前記要素台形平板の、前記少なくとも上底と下底寸法のいずれか一つの一倍を含む整数倍に対して、
前記少なくとも上底または下底寸法のいずれか一つの一倍を含む整数倍の合計値がロール材の略幅寸法であるとともに、
前記要素台形平板の高さ方向を板金ロール材の前記ロール材の略幅寸法と直角方向の圧延ロール目方向とし、
圧延ロール材料の前記ロール目方向、すなわち、前記要素台形平板の上底と下底の間の垂直高さ方向に、前記要素台形平板を移動させながら、
前記要素台形平板の少なくとも一方の辺を、前記上底と下底の間の垂直高さ方向、すなわち、前記板金ロール材の圧延ロール目方向に対して、少しの角度をもって斜めになるように、前記板金ロール材を略直線状に切断して形成し、
前記切断した要素台形平板の前記各台形辺に平行になる圧縮側内側曲げＲ軸（引張側曲げＲ軸）をもって、前記圧延ロール目方向に対して、略直角方向に曲げることによって、前記要素台形平板の馳曲げ部を形成する前記要素台形平板から成ることを特徴とする平板円形屋根または平板扇形屋根。
【請求項２】
前記少なくとも一つの前記要素台形平板の少なくとも一つの前記台形辺部に設けた前記馳曲げ部と、少なくとも一つの要素四角形平板の辺部に設けた馳曲げ部を相互に馳せ係合させることを特徴とする請求項１に記載の平板円形屋根または平板扇形屋根。
【請求項３】
要素台形平板と前記要素四角形平板の辺に設けた曲げＲ部を相互に馳せ係合する馳せ部が基本的に断面直線部を有する基本的角馳係合であることを特徴とする請求項１〜請求項２のいずれかに記載の平板円形屋根または平板扇形屋根。
【請求項４】
前記要素台形平板の台形辺の周辺、または、前記要素四角形平板の辺の周辺の、
前記断面直線部を有する基本的角馳係合曲げＲ部、または、防水水切り曲げＲ部をロール成形することを特徴とする請求項１〜請求項３に記載の平板円形屋根または平板扇形屋根。
【請求項５】
前記要素台形平板の前記各台形辺のいずれか一方、または、前記要素四角形平板の辺のいずれか一方を、
前記曲げＲ部ロール成形したあとで、トンボして（天地反対にして）前記要素台形平板、前記要素四角形平板の辺のいずれか一方に対する他方の辺周辺曲げＲ部を前記ロール成形する前記要素四角形平板、前記要素四角形平板から成ることを特徴とする請求項４に記載の平板円形屋根または平板扇形屋根。
【請求項６】
前記要素台形平板に、
鋼板、カラー鋼板、塗装ステンレス鋼板、クラッドメタル材、溶融アルミニウムめっき鋼板、アルミニウム−亜鉛合金めっき鋼板、フッ素鋼板、ポリ塩化ビニール樹脂等の樹脂被覆鋼板、前塗装アルミニウム板、塗装アルミニウム板、銅板、亜鉛板、のいずれか１つの材料を配することを特徴とした請求項１〜請求項６のいずれかに記載の平板円形屋根または平板扇形屋根。
【請求項７】
前記要素台形平板の屋根側、または、屋根と反対側のいずれか一方に断熱材を積層することを特徴とする請求項１〜６のいずれかに記載の平板円形屋根または平板扇形屋根。